(57)【特許請求の範囲】
【請求項１】
端末が発見信号を検出する物理リソース領域を特定するステップと、
前記端末が、前記発見信号を検出する物理リソース領域に基づくか、または前記物理リソース領域において検出した前記発見信号に含まれる発見シーケンスの発見リソース集合に基づいて、前記発見信号に利用される発見リソース数を特定するステップであって、前記発見リソース数は１個の発見周期または前記物理リソース領域において同一の発見信号の送信に利用される発見リソース数であるステップと、
前記端末が、特定した発見リソース数に基づいて、前記発見信号を検出するステップと、を備え、
前記物理リソース領域は、サブフレーム集合またはサブバンド集合または物理リソースブロックＰＲＢ集合を指し、
前記端末が発見信号を検出する物理リソース領域に基づいて、発見信号に利用される発見リソース数を特定するステップは、
前記端末が、前記発見信号を検出する物理リソース領域、及び発見リソース数と物理リソース領域の対応関係に基づいて、前記発見信号の発見リソース数を特定するステップを備え、
異なる発見リソース数は、異なる物理リソースと対応することを特徴とするＤ２Ｄ信号の検出方法。
【請求項２】
前記物理リソース領域は、サブフレーム集合またはサブバンド集合または物理リソースブロックＰＲＢ集合を指すことを特徴とする請求項１に記載のＤ２Ｄ信号の検出方法。
【請求項３】
前記発見信号の発見リソース数が１より大きければ、前記端末は、前記発見信号の送信端末と前記発見信号に占有する複数の発見リソース間の物理リソースマッピング関係を予め約定することを特徴とする請求項１に記載のＤ２Ｄ信号の検出方法。
【請求項４】
前記発見リソース数と物理リソース領域の対応関係は、ネットワーク機器がダウンリンク・シグナリングまたはブロードキャスト・メッセージにより前記Ｄ２Ｄ端末に通知されるか、または、前記発見リソース数と物理リソース領域の対応関係は、前記端末と前記発見信号の送信端末により予め約定されることを特徴とする請求項１に記載のＤ２Ｄ信号の検出方法。
【請求項５】
前記端末が、前記物理リソース領域において検出した前記発見信号に含まれる発見シーケンスの発見リソース集合に基づいて、前記発見信号に利用される発見リソース数を特定するステップは、
前記端末が、検出した前記発見信号に含まれる発見シーケンスの発見リソース集合における発見リソース数を、前記発見信号に利用される発見リソース数として特定するステップ、または
前記端末が、検出した前記発見信号に含まれる発見シーケンスの発見リソース集合における発見リソース数をＮとし、１より小さくない且つＮより大きくない数値範囲においてＫ個の数値を選出し、前記Ｋ個の数値を前記発見信号に利用される発見リソース数の可能値として特定するステップであって、前記Ｋは１より小さくない且つＮより大きくない整数であり、前記Ｎは１より大きいステップ、を備えることを特徴とする請求項１に記載のＤ２Ｄ信号の検出方法。
【請求項６】
前記端末が、特定した発見リソース数に基づいて、前記発見信号を検出するステップは、
前記端末により特定した前記発見信号の発見リソース数が単一値であれば、前記単一値である発見リソース数に基づいて、前記物理リソース領域において前記発見信号の発見メッセージを検出するステップ、または、
前記端末が特定した前記発見信号の発見リソース数が複数の可能値であれば、それぞれの可能値に基づいて、前記物理リソース領域において前記発見信号の発見メッセージを検出するステップ、
を備えることを特徴とする請求項１ないし請求項５のいずれかに記載のＤ２Ｄ信号の検出方法。
【請求項７】
端末が発見リソース数の値に基づいて、前記物理リソース領域において前記発見信号の発見メッセージを検出するステップは、
前記発見リソース数の値が１であれば、前記物理リソース領域における発見リソースごとに前記発見信号の発見メッセージをそれぞれに検出するステップと、
前記発見リソース数の値がＭであり、Ｍが１より大きければ、前記物理リソース領域におけるM個の発見リソースと協調して前記発見信号の発見メッセージを検出するステップと、
を備えることを特徴とする請求項６に記載のＤ２Ｄ信号の検出方法。
【請求項８】
発見信号を検出する物理リソース領域を特定する第１特定モジュールと、
前記第１特定モジュールにより特定した前記発見信号を検出する物理リソース領域に基づくか、または前記物理リソース領域において検出した前記発見信号に含まれる発見シーケンスの発見リソース集合に基づいて、前記発見信号に利用される発見リソース数を特定する第２特定モジュールであって、前記発見リソース数は１個の発見周期または前記物理リソース領域において同一の発見信号の送信に利用される発見リソース数である第２特定モジュールと、
特定した発見リソース数に基づいて前記発見信号を検出する検出モジュールと、を備え、
前記発見リソースは、発見信号を送信するたびに占有する物理リソースを指し、
前記第２特定モジュールは、前記発見信号を検出する物理リソース領域、及び発見リソース数と物理リソース領域の対応関係に基づいて、前記発見信号の発見リソース数を特定し、
異なる発見リソース数は、異なる物理リソースと対応することを特徴とする端末。
【請求項９】
前記物理リソース領域は、サブフレーム集合またはサブバンド集合または物理リソースブロックＰＲＢ集合を指すことを特徴とする請求項８に記載の端末。
【請求項１０】
前記発見信号の発見リソース数が１より大きい場合、前記発見信号の送信端末と予め約定した前記発見信号に占有される複数の発見リソース間の物理リソースマッピング関係を記憶する記憶モジュールをさらに備えることを特徴とする請求項９に記載の端末。
【請求項１１】
記憶モジュールは、前記発見リソース数と物理リソース領域の対応関係を記憶し、
前記発見リソース数と物理リソース領域の対応関係は、ネットワーク機器がダウンリンク・シグナリングまたはブロードキャスト・メッセージにより前記Ｄ２Ｄ端末に通知されるか、または、前記発見リソース数と物理リソース領域の対応関係は、前記端末と前記発見信号の送信端末により予め約定されることを特徴とする請求項８に記載の端末。
【請求項１２】
前記検出モジュールは、前記第２特定モジュールにより特定した前記発見信号の発見リソース数が単一値であれば、前記単一値である発見リソース数に基づいて、前記物理リソース領域において前記発見信号の発見メッセージを検出するか、または、前記第２特定モジュールにより特定した前記発見信号の発見リソース数が複数の可能値であれば、それぞれの可能値に基づいて、前記物理リソース領域において前記発見信号の発見メッセージを検出することを特徴とする請求項８ないし請求項１１のいずれかに記載の端末。
【請求項１３】
前記検出モジュールは、前記発見リソース数の値が１であれば、前記物理リソース領域における発見リソースごとに前記発見信号の発見メッセージをそれぞれに検出し、前記発見リソース数の値がＭであり、Ｍが１より大きければ、前記物理リソース領域におけるＭ個の発見リソースと協調して前記発見信号の発見メッセージを検出することを特徴とする請求項１２に記載の端末。
【発明の詳細な説明】
【技術分野】
【０００１】
本発明は通信分野に関し、特にＤ２Ｄ信号の検出方法及び装置に関する。
【背景技術】
【０００２】
Ｄ２Ｄ（Ｄｅｖｉｃｅ−ｔｏ−Ｄｅｖｉｃｅ、端末から端末）とは、隣接の端末（ｕｓｅｒ  ｅｑｕｉｐｍｅｎｔ）が、中心ノード（ｃｅｎｔｒａｌ ｎｏｄｅ，即ち基地局）の転送を要らず、短距離範囲内で、ダイレクト・リンク（ｄｉｒｅｃｔ ｌｉｎｋ）によりデータを伝送することを指す。
【０００３】
ＬＴＥ Ｄ２Ｄ技術とは、ＬＴＥ（Ｌｏｎｇ Ｔｅｒｍ Ｅｖｏｌｕｔｉｏｎ）許可周波数帯（ｌｉｃｅｎｓｅｄ ｆｒｅｑｕｅｎｃｙ ｂａｎｄ）における、ＬＴＥネットワークにより制御されるＤ２Ｄ発見及び通信過程を指す。ＬＴＥ Ｄ２Ｄ特性の導入は、ＬＴＥ技術を、単なる無線モバイル・セルラー方式との通信技術からユニバーサル接続技術（Ｕｎｉｖｅｒｓａｌ Cｏｎｎｅｃｔｉｖｉｔy Ｔｅｃｈｎｏｌｏｇｙ、ＵＣＴと略称）の方向へ導く。
【０００４】
ＬＴＥ Ｄ２Ｄ技術は、Ｄ２Ｄ発見（Ｄ２Ｄ ｄｉｓｃｏｖｅｒｙ）及びＤ２Ｄを含む。Ｄ２Ｄ発見とは、１個のＤ２Ｄ端末（Ｕｓｅｒ Ｅｑｕｉｐｍｅｎｔ，以下ＵＥと略称）により付近の他のＤ２Ｄ ＵＥを発見することを指す。Ｄ２Ｄ端末間の発見は、発見信号により実現され、発見信号には発見シーケンス及び発見メッセージが含まれるが、発見メッセージにはある程度の識別情報（例えば、装置情報、アプリケーション情報、サービスタイプ等）が含まれることができ、発見端末（即ち、発見信号を受信する端末）はこのような情報により被発見端末（即ち、発見信号を送信する端末）を識別する。発見信号における発見メッセージは発見リソースにより搬送され、１個の発見リソースは１個の発見メッセージを伝送することに用いられる。発見リソースは一般的に複数のＰＲＢ（Ｐｈｙｓｉｃａｌ Ｒｅｓｏｕｒｃｅ Ｂｌｏｃｋ，物理リソースブロック）を含む物理リソースである。
【０００５】
Ｄ２Ｄ発見において、Ｄ２Ｄ端末は受信リソース領域を知って他のＤ２Ｄ端末発見信号の受信に用いる必要があり、送信リソース領域を知って自身の発見信号の送受信に用いる必要がある。ハードウェアの制限のため、Ｄ２Ｄ端末は、１個のサブフレームにおいて発見信号の送信及び受信をともに行うことができない。一般的に、システム発見リソースは、１個のサブフレーム集合またはＰＲＢ集合、及び当該サブフレーム集合またはＰＲＢ集合の発生周期（当該周期がシステムの発見周期である）を含み、図１を参照されたい。１個のシステム発見周期には複数のサブフレームが含まれ、サブフレームごとに複数のＰＲＢsが含まれる。一般的に、ネットワークのカバリッジエリアにおいて、これらのサブフレームまたはＰＲＢは、連続のアップリンクまたはダウンリンクセルラーリソース（例えば、連続アップリンクサブフレーム）である。ネットワークのカバリッジエアリアにおいて、発見リソースは一般的に基地局より設定されるが、ネットワークのカバリッジエアリア以外の領域において、発見リソースは一般的に予め定義されるがまたはクラスタヘッドにより設定される。
【０００６】
各発見周期において、Ｄ２Ｄ端末は、発見信号を送信しないサブフレームにおいて他のＤ２Ｄ端末の発見信号を検出できる。同時に、各発見周期において、Ｄ２Ｄ端末は１個の発見リソースで１個の発見メッセージを送信することもできるし、複数の発見リソースで複数の同一または異なる発見メッセージを送信することもできる。１個の発見信号に含まれる発見シーケンス及び発見メッセージは、同一の発見リソースにおいて送信しもよく、異なるリソースで送信してもよい。一般的に１個の発見周期において、発見シーケンスは、発見メッセージとともに送信される。発見シーケンスは、複数のシーケンスを利用する場合、受信端において複数のシーケンスそれぞれを検出して、現在に利用する発見シーケンスを特定する必要がある。
【発明の概要】
【発明が解決しようとする課題】
【０００７】
従来の端末は送信端に利用される発見リソース数を特定できず、発見リソース数に基づいて検出できないため、ミスマッチの発見リソース数により機能が損なわれるおそれがある。また、端末がすべての可能な発見リソース数をブラインド検出すれば、検出の複雑さが高くなってしまう。
【０００８】
本発明にかかる実施例はＤ２Ｄ信号の検出方法及び装置を提供して、機能損失を改善する。
【課題を解決するための手段】
【０００９】
本発明にかかる実施例のＤ２Ｄ信号の検出（ｄｅｔｅｃｔ）方法は、
端末が発見信号を検出する物理リソース領域を特定するステップと、
前記端末が、前記発見信号を検出する物理リソース領域に基づくか、または前記物理リソース領域において検出した前記発見信号に含まれる発見シーケンスの発見リソース集合に基づいて、前記発見信号に利用される発見リソース数を特定するステップであって、前記発見リソース数は１個の発見周期または前記物理リソース領域において同一の発見信号の送信に利用される発見リソース数であるステップと、
前記端末が、特定した発見リソース数に基づいて、前記発見信号を検出するステップとを備える。
【００１０】
前記方法によれば、前記物理リソース領域はサブフレーム集合またはサブバンド集合またはＰＲＢ集合を指す。
【００１１】
前記方法によれば、前記発見リソースは、発見信号を送信するたびに占有する物理リソースを指す。
【００１２】
前記方法によれば、前記発見信号の発見リソース数が１より大きければ、前記端末は、前記発見信号の送信端末と前記発見信号に占有する複数の発見リソース間の物理リソースマッピング関係を予め約定する。
【００１３】
前記方法によれば、前記端末が発見信号を検出する物理リソース領域に基づいて、発見信号に利用される発見リソース数を特定するステップは、前記端末は、前記発見信号を検出する物理リソース領域、及び発見リソース数と物理リソース領域の対応関係に基づいて、前記発見信号の発見リソース数を特定するステップを備える。
【００１４】
ここで、前記発見リソース数と物理リソース領域の対応関係は、ネットワーク機器がダウンリンク・シグナリングまたはブロードキャスト・メッセージにより前記Ｄ２Ｄ端末に通知されるか、または、前記発見リソース数と物理リソース領域の対応関係は、前記端末と前記発見信号の送信端末により予め約定される。
【００１５】
前記方法によれば、前記端末が、前記物理リソース領域において検出した前記発見信号に含まれる発見シーケンスの発見リソース集合に基づいて、前記発見信号に利用される発見リソース数を特定するステップは、
前記端末が、検出した前記発見信号に含まれる発見シーケンスの発見リソース集合における発見リソース数を、前記発見信号に利用される発見リソース数として特定するステップと、または
前記端末は、検出した前記発見信号に含まれる発見シーケンスの発見リソース集合における発見リソース数をＮとし、１より小さくない且つＮより大きくない数値範囲においてＫ個の数値を選出し、前記Ｋ個の数値を前記発見信号に利用される発見リソース数の可能値として特定するステップであって、前記Ｋは１より小さくない且つＮより大きくない整数であり、前記Ｎは１より大きいステップとを備える。
【００１６】
ここで、１より小さくない且つＮより大きくない数値範囲においてＫ個の数値を選出し、前記Ｋ個の数値を前記発見信号に利用される発見リソース数の可能値として特定するステップは、前記端末は予め定義した発見リソース数の可能値集合Ｓに基づいて、１より小さくない且つＮより大きくない数値範囲において集合Ｓに含まれるＫ個の数値を選出し、前記Ｋ個の数値を前記発見信号に利用される発見リソース数の可能値として特定するステップを備える。
【００１７】
前記方法によれば、前記端末が、特定した発見リソース数に基づいて、前記発見信号を検出するステップは、前記端末により特定した前記発見信号の発見リソース数が単一値であれば、前記単一値である発見リソース数に基づいて、前記物理リソース領域において前記発見信号の発見メッセージを検出するステップと、または、前記端末が特定した前記発見信号の発見リソース数が複数の可能値であれば、それぞれの可能値に基づいて、前記物理リソース領域において前記発見信号の発見メッセージを検出する。
【００１８】
ここで、端末が発見リソース数の値に基づいて、前記物理リソース領域において前記発見信号の発見メッセージを検出するステップは、
前記発見リソース数の値が１であれば、前記物理リソース領域における発見リソースごとに前記発見信号の発見メッセージをそれぞれに検出するステップと、
前記発見リソース数の値がＭであり、Ｍが１より大きければ、前記物理リソース領域におけるM個の発見リソースと協調して前記発見信号の発見メッセージを検出するステップとを備える。
【００１９】
本発明にかかる実施例が提供する端末は、
発見信号を検出する物理リソース領域を特定する第１特定モジュールと、
前記第１特定モジュールにより特定した前記発見信号を検出する物理リソース領域に基づくか、または前記物理リソース領域において検出した前記発見信号に含まれる発見シーケンスの発見リソース集合に基づいて、前記発見信号に利用される発見リソース数を特定する第２特定モジュールであって、前記発見リソース数は１個の発見周期または前記物理リソース領域において同一の発見信号の送信に利用される発見リソース数である第２特定モジュールと、
特定した発見リソース数に基づいて前記発見信号を検出する検出モジュールとを備える。
【００２０】
前記端末によれば、前記物理リソース領域はサブフレーム集合またはサブバンド集合またはＰＲＢ集合を指す。
【００２１】
前記端末によれば、前記発見リソースは、発見信号を送信するたびに占有する物理リソースを指す。
【００２２】
前記端末によれば、前記発見信号の発見リソース数が１より大きい場合、前記発見信号の送信端末と予め約定した前記発見信号に占有される複数の発見リソース間の物理リソースマッピング関係を記憶する記憶モジュールをさらに備える。
【００２３】
前記端末によれば、前記第２特定モジュールは、前記発見信号を検出する物理リソース領域、及び発見リソース数と物理リソース領域の対応関係に基づいて、前記発見信号の発見リソース数を特定する。
【００２４】
前記端末は、前記発見リソース数と物理リソース領域の対応関係を記憶する記憶モジュールをさらに備える。前記発見リソース数と物理リソース領域の対応関係は、ネットワーク機器がダウンリンク・シグナリングまたはブロードキャスト・メッセージにより前記Ｄ２Ｄ端末に通知されるか、または、前記発見リソース数と物理リソース領域の対応関係は、前記端末と前記発見信号の送信端末により予め約定される。
【００２５】
前記端末によれば、前記第２特定モジュールは、検出した前記発見信号に含まれる発見シーケンスの発見リソース集合における発見リソース数を、前記発見信号に利用される発見リソース数として特定するか、または
検出した前記発見信号に含まれる発見シーケンスの発見リソース集合における発見リソース数がＮであり、１より小さくない且つＮより大きくない数値範囲においてＫ個の数値を選出し、前記Ｋ個の数値を前記発見信号に利用される発見リソース数の可能値として特定し、前記Ｋは１より小さくない且つＮより大きくない整数であり、前記Ｎは１より大きい。
【００２６】
ここで、前記第２特定モジュールは、予め定義した発見リソース数の可能値集合Ｓに基づいて、１より小さくない且つＮより大きくない数値範囲において集合Ｓに含まれるＫ個の数値を選出し、前記Ｋ個の数値を前記発見信号に利用される発見リソース数の可能値として特定する。
【００２７】
前記端末によれば、前記検出モジュールは、前記第２特定モジュールにより特定した前記発見信号の発見リソース数が単一値であれば、前記単一値である発見リソース数に基づいて、前記物理リソース領域において前記発見信号の発見メッセージを検出するか、または
前記第２特定モジュールにより特定した前記発見信号の発見リソース数が複数の可能値であれば、それぞれの可能値に基づいて、前記物理リソース領域において前記発見信号の発見メッセージを検出する。
【００２８】
ここで、前記検出モジュールは、前記発見リソース数の値が１であれば、前記物理リソース領域における発見リソースごとに前記発見信号の発見メッセージをそれぞれに検出するし、
前記発見リソース数の値がＭであり、Ｍが１より大きければ、前記物理リソース領域におけるＭ個の発見リソースと協調して前記発見信号の発見メッセージを検出する。
【発明の効果】
【００２９】
本発明の上述実施例によれば、端末は発見信号に利用される発見リソース数を特定することができ、当該発見リソース数により発見信号を検出できるため、すべての可能の発見リソース数をブラインド検出する必要がなくなる。従来技術と比べると機能損失を改善できる一方、端末検出の煩雑さを低減できる。さらに、通ケ 複数の発見リソースにおける同一の発見信号の合併により、発見信号の伝送機能を改善できる。 
【図面の簡単な説明】
【００３０】
本発明にかかる実施例の技術案をさらに明確にするため、以下、実施例の説明に必要となる図面を簡単に説明する。明らかなこととしては、下記の図面の説明は本発明における一部の実施例であることにすぎず、当業者にとって、創造力を発揮しなくても、これらの図面により他の図面を得ることができる。
【図１】従来技術におけるＤ２Ｄ端末の発見リソースを示す図である。
【図２】本発明における一実施例により提供するＤ２Ｄ信号の検出フローチャートである。
【図３】本発明にかかる他の一実施例により提供するＤ２Ｄ信号の検出フローチャートである。
【図４】本発明にかかる実施例により提供するＤ２Ｄ端末の構造図である。
【図５】本発明にかかる実施例により提供するＤ２Ｄ端末の構造図である。
【発明を実施するための形態】
【００３１】
本発明にかかる実施例は、Ｄ２Ｄ信号の検出手段を提供する。本発明にかかる実施例において、Ｄ２Ｄ端末は、発見信号を検出する物理リソースに基づくか、または発見シーケンスの検出結果に基づいて、発見信号に利用される発見リソース数を特定し、発見リソース数に基づいて発見信号を検出する。
【００３２】
以下、図面を参照しながら本発明にかかる実施例を詳細に説明する。
【００３３】
図２は、本発明にかかる実施例に提供するＤ２Ｄ信号の検出フローチャートであり、当該フローチャートは以下のステップを備える。
【００３４】
ステップ２０１、端末は発見信号を検出する物理リソース領域を特定する。
【００３５】
ここの端末は発見端末であり、即ち発見信号を受信する端末である。ここの発見信号は、発見シーケンス及び/または発見メッセージを含むことができる。
【００３６】
発見信号の物理リソース領域は、発見信号のサブフレーム集合またはサブバンド集合またはＰＲＢ集合を指す。
【００３７】
説明すべきは、物理リソース領域は、周波数領域においてサブバンド集合または物理リソースブロックＰＲＢ集合であることができ、時間領域においてサブフレーム集合であることができる。即ち、１個の物理リソース領域は、実に幾つかの周波数領域リソース及び時間領域リソースを含む受信物理リソースプールである。
【００３８】
具体的に、端末は基地局端からの物理リソース領域を示すダウンリンク制御シグナリングを受信することにより物理リソース領域を取得するか、または予め定義した、発見信号を送信または受信する物理リソース領域を発見信号を検出する物理リソース領域とする。
【００３９】
ステップ２０２、前記端末は、前記発見信号を検出する物理リソース領域に基づいて、前記発見信号に利用される発見リソース数を特定する。
【００４０】
前記発見リソースは、発見信号を送信するたびに占有する物理リソースを指す。発見信号に利用される発見リソース数は、１個の発見周期内または前記物理リソース領域において同一の発見信号の送信に利用される発見リソース数を指し、前記発見リソース数は１より小さくない整数である。
好ましくは、ステップ２０２の実施は、次のようである。前記端末は、前記発見信号を検出する物理リソース領域、及び発見リソース数と物理リソース領域の対応関係に基づいて、前記発見信号の発見リソース数を特定する。
【００４１】
好ましくは、前記発見リソース数と物理リソース領域の対応関係は、ネットワーク機器がダウンリンク・シグナリングまたはブロードキャスト・メッセージにより前記端末に通知することができる。または、前記発見リソース数と物理リソース領域の対応関係は、前記端末及び前記発見信号の送信端末により予め約定することができる。
【００４２】
例えば、ネットワーク機器は、ダウンリンク・シグナリングまたはブロードキャストシグナリングにより、Ｄ２Ｄ端末に、検出する必要がある各物理リソース領域に対応する発見リソース数を通知することができる。
【００４３】
前記発見リソース数と物理リソース領域の対応関係において、異なる発見リソース数は、異なる物理リソース領域と対応する。好ましくは、異なる発見リソース数は、異なるサブフレームと対応する。例えば、以下のように約定することができる。発見周期内の前の２つの発見サブフレームに対応する発見リソース数は２であり、発見周期内の前の２つの発見サブフレーム以外の他の発見サブフレームに対応する発見リソース数は１である。例えば、第３発見サブフレーム及び第３発見サブフレームに対応する発見リソース数は１である。
【００４４】
ステップ２０３、前記端末は特定した発見リソース数に基づいて、前記発見信号を検出する。
【００４５】
好ましくは、端末が特定した発見リソース数により前記発見信号を検出する場合、発見リソース数の異なる値により、以下のいずれか１つの方式にて実施する。
【００４６】
〈方式Ａ〉
発見リソース数の値が１であれば、前記物理リソース領域における発見リソースごとに前記発見信号をそれぞれ検出する。
【００４７】
例えば、発見周期内的第３発見サブフレームに対応する特定した発見信号の発見リソース数の値が１であれば、各発見周期の第３発見サブフレームにおけるそれぞれの発見リソースにおいて発見信号を検出する。
【００４８】
〈方式Ｂ〉
発見リソース数の値がＭであり、Ｍが１より大きければ、前記物理リソース領域におけるＭ個の発見リソースと協調して、前記発見信号を検出する。
【００４９】
具体的に、前記発見信号の発見リソース数が１より大きければ、前記端末は、前記発見信号の送信端末と前記発見信号に占有する複数の発見リソース間の物理リソースマッピング関係を予め約定する。こうして、前記方式Ｂにより発見信号を検出する場合、端末により特定した発見信号の発見リソース数の値がＭ（Ｍ>１）であれば、前記発見信号に占有される複数の発見リソース間の物理リソースマッピング関係に基づき、前記発見信号のＭ個の発見リソースを協調して前記発見信号の発見メッセージを検出する。実際に実施する場合、Ｍ個の発見リソースにおいて検出した発見メッセージのソフトビット（ｓｏｆｔ ｂｉｔ）を合併して、最終の検出結果を得る。
【００５０】
例えば、発見信号xが２個の発見リソースを占有し、当該２個の発見リソースが２個の隣接サブフレームのＰＲＢを占有し、且つ２個のサブフレームにおける占有されるＰＲＢは固定の周波数領域ホッピングパターンを有し、端末において発見信号xのために前記発見信号の２個の発見リソースの物理リソースマッピング関係を予めに設定する。こうして、発見信号xを検出する場合、当該マッピング関係に基づき、当該２個の隣接サブフレームのＰＲＢにおいて検出した発見メッセージのソフトビットを合併して、前記発見信号xの検出結果を得る。
【００５１】
他の応用シナリオにおいても、前記予め設定した発見リソース数と物理リソースの対応関係の例を挙げる。発見周期内の前の２つの発見サブフレームに対応する発見リソース数が２であり、発見周期内の前の２つの発見サブフレーム以外の他の発見サブフレームに対応する発見リソース数が１であれば、ステップ２０１ないしステップ２０２により、１個の発見周期内の第１発見サブフレームに対して、端末が特定した発見リソース数が２であり、第２発見サブフレームに対して、特定した発見リソース数が２であり、他の発見サブフレームに対し、特定した発見リソース数が１である。こうして、ステップ２０３において、端末は、１個の発見周期の第１発見サブフレーム及び第２个発見サブフレームにおいて、発見リソース数の値が２であることにより、発見信号を検出し、他の発見サブフレームにおいて、発見リソース数の値が１であることにより、発見信号を検出する。
【００５２】
よって、端末はターゲット発見端末に利用される発見リソース数を取得することにより、発見リソース数に基づいて発見信号を検出することができる。複数の発見リソースにより情報合併ゲインを得る一方、すべて可能の発見リソース数をブラインド検出する必要がないため、検出の煩雑さが低減される。
【００５３】
図３は本発明の他の一実施例にかかるＤ２Ｄ信号の検出フローチャートであり、当該フローチャートは以下のステップを備える。
【００５４】
ステップ３０１、端末は発見信号を検出する物理リソース領域を特定する。
【００５５】
ここの端末は発見端末であり、即ち発見信号を受信する端末である。ここの発見信号は少なくとも発見シーケンスを含み、選択的に発見メッセージを含むこともできる。１個の発見信号の発見シーケンスは、唯一のシーケンスであってもよく、複数の候補シーケンスであってもよい。もし後者であれば、端末は、それぞれの候補シーケンスを検出する必要がある。
【００５６】
発見信号の物理リソース領域は、発見信号のサブフレーム集合またはサブバンド集合またはＰＲＢ集合である。
【００５７】
前記発見リソースは、発見信号を送信するたびに占有する物理リソースを指す。発見信号に利用される発見リソース数は、１個の発見周期内または前記物理リソース領域において同一の発見信号を送信するのに利用される発見リソース数を指す。前記発見リソース数は１より小さくない整数である。
【００５８】
当該ステップにおいて、端末により特定した物理リソース領域は、１個の発見周期における複数の発見リソースを含む。即ち、当該端末は、１個の発見周期における複数の発見リソースにおいて、前記発見信号の発見シーケンスを検出する。例えば、物理リソース領域は、１個の発見周期におけるすべての発見リソース、または発見周期における複数のサブフレーム上の発見リソース、または発見周期における複数のサブバンド上の発見リソースを含むことができる。具体的に、端末は前記発見信号のすべての可能の発見シーケンスをサイクリングし、各発見リソースにおいて受信した信号と関連付けて、発見シーケンスを検出する。例えば、端末は、１個の発見周期における複数の発見サブフレームにおいて、前記発見信号の発見シーケンスを検出する。
【００５９】
好ましくは、端末において、同一の発見信号の複数の発見リソースの物理リソース間のマッピング関係を予め約定することにより、端末が発見信号の発見シーケンスを検出する中、発見シーケンスを検出した後、当該マッピング関係に基づいて他の前記発見シーケンスがありそうな発見リソースにおいて前記発見シーケンスを検出する。具体的に、端末は、前記発見シーケンスにより生成した信号と前記他の前記発見シーケンスがありそうな発見リソースにおける受信信号を関連付けることにより、対応発見リソースにおいて前記発見シーケンスがあるかどうかを判断する。
【００６０】
例えば、発見リソース１においてある発見シーケンス１を検出したと仮定すれば、他の前記発見シーケンスがありそうな発見リソースにおいて前記発見シーケンスを検出する。ここで、他の前記発見シーケンスがありそうな発見リソース及び発見リソース１は約定したリソースマッピング関係を有する。例えば、これらは発見リソース１以外の他の発見サブフレームにおける同一のＰＲＢを占有する。具体的に、ＵＥは発見シーケンス１により生成した信号と他の発見サブフレームの同一ＰＲＢにおいて受信した信号を関連付け、関連付けに基づいて前記物理リソースにおいて前記発見シーケンスがあるかどうかを判断する。
【００６１】
ステップ３０２、前記端末は、前記物理リソース領域において検出した前記発見信号に含まれる発見シーケンスの発見リソース集合に基づいて、前記発見信号に利用される発見リソース数を特定する。
【００６２】
発見リソース数は、１個の発見周期において単一の発見信号の送信に利用される発見リソース数である。
【００６３】
好ましくは、端末が前記発見信号に利用される発見リソース数を特定する場合、下記のいずれかの１つの方式により実施できる。
【００６４】
〈方式１〉
端末は、検出した前記発見信号に含まれる発見シーケンスの発見リソース集合における発見リソース数を、前記発見信号に利用される発見リソース数として特定する。例を挙げて説明すれば、端末が１個の発見周期における２个サブフレームにおいてある発見信号の発見シーケンスを検出すれば、前記発見信号に利用される発見リソース数を２として特定する。さらに例を挙げて説明すれば、端末が１個の発見周期における４個のＰＲＢにおいてある発見信号の発見シーケンスを検出すれば、前記発見信号に利用される発見リソース数を４として特定する。
【００６５】
〈方式２〉
端末は、検出した前記発見信号に含まれる発見シーケンスの発見リソース集合における発見リソース数をＮとし、１より小さくない且つＮより大きくない数値範囲においてＫ個の数値を選出し、前記Ｋ個の数値を前記発見信号に利用される発見リソース数の可能値として特定し、前記Ｋは１より小さくない且つＮより大きくない整数であり、前記Ｎは１より大きい。例を挙げて説明すれば、端末が１個の発見周期における２个サブフレームにおいてある発見信号の発見シーケンスを検出すれば、 [１,２]の値範囲において数値１及び２を前記発見信号に利用される発見リソース数の可能値とする。さらに例を挙げて説明すれば、端末が１個の発見周期における４個のＰＲＢにおいてある発見信号を検出すれば、[１,４]の値範囲において数値１、２、４を前記発見信号に利用される発見リソース数の可能値とする。
【００６６】
好ましくは、端末が１より小さくない且つＮより大きくない数値範囲からＫ個の数値を選出する場合、当該数値範囲のすべての整数を前記発見信号に利用される発見リソース数としってもよく、予め定義した発見リソース数の可能値集合Ｓに基づいて、１より小さくない且つＮより大きくない数値範囲において集合Ｓに含まれるＫ個の数値を選出して、前記Ｋ個の数値を前記発見信号に利用される発見リソース数の可能値として特定してもよい。例えば、集合Ｓ={１,２,４}の場合、１、２、４を選出して前記発見信号に利用される発見リソース数とする。さらに、例えば、予め約定した選出する如発見リソース数が１、２、４、Ｎ=２（Ｎは発見リソース集合における発見リソース数である）であれば、[１,２] 数値範囲から１及び２との２個のヨオを選出して前記発見信号に利用される発見リソース数とする。
【００６７】
ステップ３０３、前記端末は特定した発見リソース数に基づいて、前記発見信号を検出する。
【００６８】
好ましくは、端末が特定した発見リソース数に基づいて前記発見信号を検出する場合、下記いずれかの１つの方式により実施できる。
【００６９】
〈検出方式１〉
前記端末により特定した前記発見信号の発見リソース数が単一値であれば、前記単一値である発見リソース数に基づいて、前記物理リソース領域において前記発見信号の発見メッセージを検出する。
【００７０】
例を挙げて説明すれば、端末により特定した発見リソース数が２であれば、前記発見リソース数（即ち２）に基づいて、前記物理リソース領域において前記発見信号の発見メッセージを検出する。
【００７１】
〈検出方式２〉
前記端末が特定した前記発見信号の発見リソース数が複数の可能値であれば、それぞれの可能値に基づいて、前記物理リソース領域において前記発見信号の発見メッセージを検出する。
【００７２】
例を挙げて説明すれば、端末により特定した発見リソース数が１,２及び４を含まれば、当該端末は、まず１に基づいて、前記物理リソース領域において前記発見信号の発見メッセージを検出することができる。もし前記発見信号の発見メッセージを検出したとすれば、現在の発見周期において前に前記発見信号の発見メッセージに対する検出を終了し、前記発見信号の発見メッセージを検出できていない場合、引き続き２に基づいて、前記物理リソース領域において前記発見信号の発見メッセージを検出する。２に基づいて検出する場合、前記発見信号の発見メッセージを検出したとすれば、現在の発見周期において前記発見信号の発見メッセージに対する検出を終了し、前記発見信号の発見メッセージを検出できていない場合、引き続４に基づいて、前記物理リソース領域において前記発見信号の発見メッセージを検出する。４に基づいて検出する場合、前記発見信号の発見メッセージを検出したとすれば、現在の発見周期において前記発見信号の発見メッセージに対する検出を終了し、前記発見信号の発見メッセージを検出できていない場合、現在の発見周期において前記発見信号の発見メッセージに対する検出は失敗とされ、即ち現在の発見周期において前記発見信号の発見メッセージを検出できなかった。
【００７３】
好ましくは、端末は前記検出方式１または検出方式２により発見信号を検出する場合、特定した発見リソース数の値に基づいて、下記いずれか１つの方式により検出することができる。
【００７４】
〈方式Ａ〉
発見リソース数の値が１であれば、前記物理リソース領域における発見リソースごとに前記発見信号をそれぞれ検出する。
【００７５】
例えば、発見周期内的第３発見サブフレームに対応する特定した発見信号の発見リソース数の値が１であれば、各発見周期の第３発見サブフレームにおいて前記発見信号を検出できる。
【００７６】
〈方式Ｂ〉
発見リソース数の値がＭであり、Ｍが１より大きければ、前記物理リソース領域におけるＭ個の発見リソースと協調して前記発見信号の発見メッセージを検出する。
【００７７】
よって、端末はターゲット発見端末に利用される発見リソース数を取得することにより、発見リソース数に基づいて発見信号を検出することができる。複数の発見リソースにより情報合併ゲインを得る一方、すべて可能の発見リソース数をブラインド検出する必要がないため、検出の煩雑さが低減される。
【００７８】
同様な発明思想に基づいて、本発明にかかる実施例は端末をさらに提供する。
【００７９】
図４は本発明にかかる実施例の端末構造図である。当該端末は、第１特定モジュール４０１と、第２特定モジュール４０２と、検出モジュール４０３とを備え、記憶モジュール４０４をさらに備える。
【００８０】
前記第１特定モジュール４０１は、発見信号を検出する物理リソース領域を特定する。
【００８１】
前記第２特定モジュール４０２は、第１特定モジュール４０１により特定した前記発見信号を検出する物理リソース領域、または前記物理リソース領域において検出した前記発見信号に含まれる発見シーケンスの発見リソース集合に基づいて、前記発見信号に利用される発見リソース数を特定する。前記発見リソース数は１個の発見周期または前記物理リソース領域において同一の発見信号の送信に利用される発見リソース数である。
【００８２】
前記検出モジュール４０３は、第２特定モジュール４０２により特定した発見リソース数に基づいて、前記発見信号を検出する。
【００８３】
具体的に、前記物理リソース領域はサブフレーム集合またはサブバンド集合またはＰＲＢ集合を指す。
【００８４】
具体的に、前記発見リソースは、発見信号を送信するたびに占有する物理リソースを指す。
【００８５】
具体的に、記憶モジュール４０４は、前記発見信号の発見リソース数が１より大きい場合、前記発見信号の送信端末と予め約定した前記発見信号に占有される複数の発見リソース間の物理リソースマッピング関係を記憶する。
【００８６】
具体的に、第２特定モジュール４０２は、前記発見信号を検出する物理リソース領域、及び発見リソース数と物理リソース領域の対応関係に基づいて、前記発見信号の発見リソース数を特定する。
【００８７】
ここで、記憶モジュール４０４は、前記発見リソース数と物理リソース領域の対応関係を記憶する。前記発見リソース数と物理リソース領域の対応関係は、ネットワーク機器がダウンリンク・シグナリングまたはブロードキャスト・メッセージにより前記Ｄ２Ｄ端末に通知されるか、または、前記発見リソース数と物理リソース領域の対応関係は、前記端末と前記発見信号の送信端末により予め約定される。
【００８８】
具体的に、第２特定モジュール４０２は、検出した前記発見信号に含まれる発見シーケンスの発見リソース集合における発見リソース数を、前記発見信号に利用される発見リソース数として特定するか、または、検出した前記発見信号に含まれる発見シーケンスの発見リソース集合における発見リソース数がＮであり、１より小さくない且つＮより大きくない数値範囲においてＫ個の数値を選出し、前記Ｋ個の数値を前記発見信号に利用される発見リソース数の可能値として特定し、前記Ｋは１より小さくない且つＮより大きくない整数であり、前記Ｎは１より大きい。
【００８９】
ここで、第２特定モジュール４０２は、予め定義した発見リソース数の可能値集合Ｓに基づいて、１より小さくない且つＮより大きくない数値範囲において集合Ｓに含まれるＫ個の数値を選出し、前記Ｋ個の数値を前記発見信号に利用される発見リソース数の可能値として特定する。
【００９０】
具体的に、検出モジュール４０３は、前記第２特定モジュールにより特定した前記発見信号の発見リソース数が単一値であれば、前記単一値である発見リソース数に基づいて、前記物理リソース領域において前記発見信号の発見メッセージを検出するか、または、前記第２特定モジュールにより特定した前記発見信号の発見リソース数が複数の可能値であれば、それぞれの可能値に基づいて、前記物理リソース領域において前記発見信号の発見メッセージを検出する。
【００９１】
ここで、検出モジュール４０３は、前記発見リソース数の値が１であれば、前記物理リソース領域における発見リソースごとに前記発見信号の発見メッセージをそれぞれに検出し、前記発見リソース数の値がＭであり、Ｍが１より大きければ、前記物理リソース領域におけるＭ個の発見リソースと協調して前記発見信号の発見メッセージを検出する。
【００９２】
図５は、本発明にかかる実施例により提供される他の端末構造図であり、当該端末は、プロセッサ６００と、メモリ６２０と、送受信機６１０と、ユーザーインターフェース６３０と、バスインターフェース６４０とを備える。
【００９３】
プロセッサ６００は、メモリ６２０のプログラムを読み出し、以下の動作を執行する。
【００９４】
‐  発見信号を検出する物理リソース領域を特定する。
【００９５】
‐  前記発見信号を検出する物理リソース領域、または根据在前記物理リソース領域において検出した前記発見信号に含まれる発見シーケンスの発見リソース集合に基づいて、前記発見信号に利用される発見リソース数を特定し、前記発見リソース数は１個の発見周期または前記物理リソース領域において同一の発見信号の送信に利用される発見リソース数である。
【００９６】
‐  特定した発見リソース数に基づいて前記発見信号を検出する。
【００９７】
好ましくは、前記物理リソース領域は、サブフレーム集合またはサブバンド集合または物理リソースブロックＰＲＢ集合を指す。
【００９８】
好ましくは、前記発見リソースは、発見信号を送信するたびに占有する物理リソースを指す。
【００９９】
好ましくは、前記発見信号の発見リソース数が１より大きければ、前記メモリ６２０は、当該端末と前記発見信号の送信端末が予め約定下前記発見信号に占有される複数の発見リソース間の物理リソースマッピング関係を記憶する。
【０１００】
好ましくは、前記プロセッサ６００が、発見信号を検出する物理リソース領域に基づいて、発見信号に利用される発見リソース数を特定することは、具体的に以下のようである。
【０１０１】
前記プロセッサ６００は、前記発見信号を検出する物理リソース領域、及び発見リソース数と物理リソース領域の対応関係に基づいて、前記発見信号の発見リソース数を特定する。
【０１０２】
好ましくは、前記発見リソース数と物理リソース領域の対応関係は、ネットワーク機器がダウンリンク・シグナリングまたはブロードキャスト・メッセージにより前記Ｄ２Ｄ端末の送受信機６１０に通知されるか、または、前記発見リソース数と物理リソース領域の対応関係は、前記端末と前記発見信号の送信端末が予め約定して前記メモリ６２０に記憶されたものである。
【０１０３】
好ましくは、前記プロセッサ６００が前記物理リソース領域において検出した前記発見信号に含まれる発見シーケンスの発見リソース集合に基づいて、前記発見信号に利用される発見リソース数を特定することは、以下のようである。
【０１０４】
‐  前記プロセッサ６００は、検出した前記発見信号に含まれる発見シーケンスの発見リソース集合における発見リソース数を、前記発見信号に利用される発見リソース数として特定するか、または、
‐  前記プロセッサ６００は、検出した前記発見信号に含まれる発見シーケンスの発見リソース集合における発見リソース数がＮであり、１より小さくない且つＮより大きくない数値範囲においてＫ個の数値を選出し、前記Ｋ個の数値を前記発見信号に利用される発見リソース数の可能値として特定し、前記Ｋは１より小さくない且つＮより大きくない整数であり、前記Ｎは１より大きい。
【０１０５】
好ましくは、前記プロセッサ６００が、１より小さくない且つＮより大きくない数値範囲においてＫ個の数値を選出し、前記Ｋ個の数値を前記発見信号に利用される発見リソース数の可能値として特定することは、具体的に、前記プロセッサ６００は、予め定義した発見リソース数の可能値集合Ｓに基づいて、１より小さくない且つＮより大きくない数値範囲において集合Ｓに含まれるＫ個の数値を選出し、前記Ｋ個の数値を前記発見信号に利用される発見リソース数の可能値として特定する。
【０１０６】
好ましくは、前記プロセッサ６００が特定した発見リソース数に基づいて前記発見信号を検出することは、以下のようである。
【０１０７】
‐  前記プロセッサ６００によって、特定された前記発見信号の発見リソース数が単一値であれば、前記単一値である発見リソース数に基づいて、前記物理リソース領域において前記発見信号の発見メッセージが検出される、または、
‐  前記プロセッサ６００によって、特定された前記発見信号の発見リソース数が複数の可能値であれば、それぞれの可能値に基づいて、前記物理リソース領域において前記発見信号の発見メッセージが検出される。
【０１０８】
好ましくは、前記プロセッサ６００が発見リソース数の値に基づいて、前記物理リソース領域において前記発見信号の発見メッセージを検出することは、以下のようである。
【０１０９】
‐  前記発見リソース数の値が１であれば、前記プロセッサ６００は、前記物理リソース領域における発見リソースごとに前記発見信号の発見メッセージをそれぞれ検出する。
【０１１０】
‐  前記発見リソース数の値がＭであり、Ｍが１より大きければ、前記プロセッサ６００は、前記物理リソース領域におけるＭ個の発見リソースを協調して前記発見信号の発見メッセージを検出する。
【０１１１】
図６において、バスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、送信機及び受信機を備え、伝送媒体を介して他の装置と通信するユニットを提供する。異なるユーザー設備に対し、ユーザーインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。
【０１１２】
プロセッサ６００は、バズアーキテクチャ及び通常の処理を監視し、メモリ６２０は、プロセッサ６００が動作する際に利用するデータを記憶することができる。
【０１１３】
よって、本発明にかかる実施例によれば、端末はターゲット発見端末に利用される発見リソース数を取得することにより、発見リソース数に基づいて発見信号を検出することができる。複数の発見リソースにより情報合併ゲインを得る一方、すべて可能の発見リソース数をブラインド検出する必要がないため、検出の煩雑さが低減される。
【０１１４】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１１５】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１１６】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１１７】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１１８】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１１９】
本出願は、２０１３年１２月６日に中国特許局に提出し、出願番号が２０１３１０６５８７４８．６であり、発明名称が「Ｄ２Ｄ信号の検出方法及び装置」との中国特許出願を基礎とする優先権を主張し、その開示の総てをここに取り込む。
【図１】
0006349397.tif 000002
【図２】
0006349397.tif 000003
【図３】
0006349397.tif 000004
【図４】
0006349397.tif 000005
【図５】
0006349397.tif 000006